(57)【要約】【課題】  透過型表示器に遊技を盛り上げるための演出表示を可能とした遊技機を提供することである。【解決手段】  この遊技機は、遊技領域が形成された遊技盤１３と、遊技盤１３の略中央に設けられたセンター役物装置１４と、遊技盤の前方に配された透過型表示器３７とを備える。そして、透過型表示器３７の表示領域４３ａ，４３ｂとセンター役物装置１４とが重畳しない。  この遊技機では、透過型表示器３７の表示領域４３ａ，４３ｂとセンター役物装置１４が重畳しないため、一方が他方の視認の邪魔になることはない。【選択図】  図８
2005058731.tif 000002
【特許請求の範囲】
【請求項１】
遊技領域が形成された遊技盤と、遊技領域の略中央に設けられたセンター役物装置と、遊技盤の前方に配された透過型表示器とを備える遊技機であって、前記透過型表示器の表示領域とセンター役物装置とが重畳しないことを特徴とする遊技機。
【発明の詳細な説明】
【技術分野】
【０００１】
本発明は、遊技装置（例えば、図柄表示装置や可変入賞装置等）の前方に透過型表示器を備えた遊技機に関する。
【背景技術】
【０００２】
遊技装置の前方に透過型表示器を備えた遊技機としては、特許文献１に開示された遊技機が知られている。
特許文献１に開示の遊技機では、遊技領域が形成された遊技盤の略中央に図柄表示装置が取付けられる。遊技盤の前方にはガラス板が配され、そのガラス板にエレクトロルミネッセンス（以下、ＥＬという）ディスプレイが固定される。ＥＬディスプレイは、透明な接着剤等によってガラス板の略中央で、図柄表示装置と重畳する位置に固定されている。
このＥＬディスプレイには、遊技者が遊技している間は映像が表示されず、遊技者が遊技していない待機状態のときに映像（広告表示等）が表示される。したがって、遊技している間は図柄表示装置の映像（例えば、変動表示される図柄等）が遊技者に視認され、遊技していないときはＥＬディスプレイの映像が遊技者に視認される。
【特許文献１】特開２００３−１２２２８８号公報
【発明の開示】
【発明が解決しようとする課題】
【０００３】
特許文献１の遊技機では、ＥＬディスプレイと図柄表示装置が重畳するため、両者に同時に映像を表示すると一方の映像が他方の映像の邪魔となる。このため、遊技機が待機状態のときにのみＥＬディスプレイに映像が表示されるようになっていた。したがって、ＥＬディスプレイには遊技を盛り上げるための演出が表示されず、遊技の興趣に寄与するものではなかった。
【０００４】
本発明は上述した実情に鑑みなされたものであり、その目的は、遊技盤に取付けられた遊技装置と透過型表示器との位置関係を調整することで、透過型表示器に遊技を盛り上げるための演出表示を可能とした遊技機を提供することである。
【課題を解決するための手段】
【０００５】
上記課題を解決するために創作された遊技機は、遊技領域が形成された遊技盤と、遊技領域の略中央に設けられたセンター役物装置と、遊技盤の前方に配された透過型表示器とを備える遊技機であって、前記透過型表示器の表示領域とセンター役物装置とが重畳しないことを特徴とする（手段１）。
【０００６】
（手段１に記載の遊技機の作用と効果）  この遊技機では、透過型表示器の表示領域とセンター役物装置とが重畳しないように、透過型表示器の表示領域とセンター役物装置の位置関係が調整されている。このため、透過型表示器の表示領域に映像を表示しても、遊技者はセンター役物装置の動作等を視認することができる。したがって、センター役物装置の動作に応じて透過型表示器に遊技演出を表示することが可能となり、面白味の高い遊技機とすることができる。
ここで、「センター役物装置」とは、遊技領域の略中央に配置される遊技装置のことをいい、例えば、特別図柄を変動表示する図柄表示装置や、所定条件下入賞可能となる機械的な入賞装置等が相当する。
また、「重畳しない」とは、透過型表示器の表示領域とセンター役物装置とが完全に重畳しない場合には限られない。例えば、透過型表示器の表示領域とセンター役物装置の一部が重畳する場合であっても、透過型表示器に映像を表示した状態でセンター役物装置の動作を実質的に視認できるときは、「重畳しない」に相当する。
【０００７】
手段１に記載の遊技機においては、遊技領域の一部は透過型表示器の表示領域と重畳し、その表示領域と重畳する部分にはセンター役物装置以外の遊技装置が設けられていることが好ましい（手段２）。
【０００８】
（手段２に記載の遊技機の作用と効果）  この遊技機では、遊技領域のうち透過型表示器の表示領域と重畳する部分にはセンター役物装置以外の遊技装置（例えば、ゲート、入賞装置等）が配される。このため、これらの遊技装置の作動（例えば、ゲートを遊技球が通過）にあわせて透過型表示器を作動させることで、遊技者に遊技装置の作動を印象付けることができる。なお、センター役物装置以外の遊技装置は、センター役物装置と比較して遊技者の関心が低いため、透過型表示器の表示領域と重畳しても大きな問題とはならない。
【０００９】
手段１又は２に記載の遊技機においては、少なくとも２つの表示領域が設けられ、一方の表示領域はセンター役物装置の左側方に形成され、他方の表示領域はセンター役物装置の右側方に形成されていることが好ましい（手段３）。
【００１０】
（手段３に記載の遊技機の作用と効果）  この遊技機では、センター役物装置を挟んで左右両側に表示領域が形成される。したがって、センター役物装置と２つの表示領域の画像を連動させることで、センター役物装置だけで遊技演出を行なうときと比較して面白みの高い遊技演出を行なうことが可能となる。
【００１１】
手段１〜３のいずれかに記載の遊技機においては、遊技盤を着脱可能に収容する前面枠と、その前面枠の前面に開閉可能に取付けられた前面開閉枠と、その前面開閉枠に形成された透視窓に着脱可能に装着された透視窓用ガラス板をさらに備え、前記透過型表示器は透視窓用ガラス板に一体に形成され、該透視窓用ガラス板の一部に表示領域が形成されていることが好ましい（手段４）。
【００１２】
（手段４に記載の遊技機の作用と効果）  この遊技機では、透過型表示器が透視窓用ガラス板に一体に形成されている。このため、透過型表示器を用いる遊技盤の場合は、透過型表示器が形成された専用の透視窓用ガラス板を透視窓に装着する。一方、透過型表示器を用いない遊技盤の場合は、通常の透視窓用ガラス板を透視窓に装着する。したがって、透視窓用ガラス板に透過型表示器を脱着する構成としていないため、透過型表示器を使用する場合と使用しない場合との切換作業を容易に行うことができる。
ここで、「ガラス板」とは、遊技領域を視認し得る程度の透過性を有する板をいい、その材質についてはガラスに限られず種々のものを用いることができる。
【００１３】
手段４に記載の遊技機において、前記表示領域に配された発光層は、その一方の面を透視窓用ガラス板によって保護され、他方の面を発光層と略同一面積の第２のガラス板により保護されていることが好ましい（手段５）。
【００１４】
（手段５に記載の遊技機の作用と効果）  この遊技機では、透視窓用ガラス板によって発光層の一方の面を保護する。したがって、透視窓用ガラス板に別体の透過型表示器を固定する場合と比較して、発光層の一方の面を保護するガラス板を１枚だけ少なくすることができる。これによって、透過型表示器の表示領域の視認性を上げることができる。
【００１５】
手段４又は５に記載の遊技機においては、前面開閉枠には、透視窓の外側で、かつ、透視窓用ガラス板の上辺側に空間が形成され、その空間に透過型表示器を駆動する駆動ユニットが配されていることが好ましい（手段６）。
【００１６】
（手段６に記載の遊技機の作用と効果）  この遊技機では、駆動ユニットが透視窓の外側に配されるため、遊技者に視認されることはない。また、透過型表示器と駆動ユニットのいずれもが前面開閉枠に配置されるため、メンテナンスや交換の際には前面開閉枠を開放するだけでよく、作業効率を上げることができる。
【００１７】
手段６に記載の遊技機において、前面開閉枠の一側がヒンジ機構によって前面枠に取付けられ、前記駆動ユニットは遊技盤の裏側に配された制御基板とハーネスによって電気的に接続される。そして、駆動ユニットは前記ハーネスを接続するためのコネクタを有し、そのコネクタは、前面開閉枠のヒンジ着された側の辺の近傍で、かつ、駆動ユニットと遊技盤との間に形成された空間に突出するように配されていることが好ましい（手段７）。
【００１８】
（手段７に記載の遊技機の作用と効果）  この遊技機では、遊技盤の裏側に配された制御基板によって透過型表示器が制御される。また、駆動ユニットと制御基板とを接続するための駆動ユニット側のコネクタは、前面開閉枠のヒンジ着された側の辺の近傍に配されるため、前面開閉枠を開放するためにハーネスの長さが長くなってしまうことを抑制することができる。さらに、駆動ユニット側のコネクタが遊技盤に向かって突出するため、そのコネクタと遊技盤の裏側からまわされたハーネスとの着脱を容易に行なうことができる。
【００１９】
手段６又は７に記載の遊技機においては、透視窓用ガラス板の表面には駆動ユニットと表示領域とを電気的に接続する配線が施されており、その配線は透視窓用ガラス板の側辺近傍を該側辺と略平行に伸びていることが好ましい（手段８）。
【００２０】
（手段８に記載の遊技機の作用と効果）  この遊技機では、透視窓用ガラス板の表面に施される配線が透視窓用ガラス板の側辺近傍を該側変と略平行となるように伸びている。したがって、透視窓用ガラス板に配線を施すことによる透過性の劣化を目立たなくすることができる。
【００２１】
手段８に記載の遊技機においては、透視窓用ガラス板表面の前記配線が施された領域には透明な保護層が設けられていることが好ましい（手段９）。
【００２２】
（手段９に記載の遊技機の作用と効果）  この遊技機では、配線が施された領域に保護層が設けられるため、透視窓用ガラス板の交換の際等に配線が損傷することを防止することができる。
【００２３】
手段６〜９のいずれかに記載の遊技機においては、透視窓用ガラス板に駆動ユニットが固定されることで、透過型表示器と駆動ユニットが一体化されていることが好ましい（手段１０）。
【００２４】
（手段１０に記載の遊技機の作用と効果）  この遊技機では、透過型表示器（透視窓用ガラス板）と駆動ユニットが一体化されているため、透過型表示器の前面開閉枠への装着を簡易に行うことができる。
【００２５】
手段１〜３のいずれかに記載の遊技機においては、下記の構成を採ることもできる。すなわち、遊技盤を着脱可能に収容する前面枠と、その前面枠の前面に開閉可能に取付けられた前面開閉枠と、その前面開閉枠に形成された透視窓に着脱可能に装着される少なくとも２枚の透視窓用ガラス板をさらに備え、前記透過型表示器は２枚の透視窓用ガラス板間に配置され、それら２枚の透視窓用ガラス板の外周は封止されると共に、その内部空間には透過型表示器の電極基板用ガラス基板の光屈折率と近似した光屈折率を有する流体が封入されている（手段１１）。
【００２６】
（手段１１に記載の遊技機の作用と効果）  この遊技機では、２枚の透視窓用ガラス板の外周が封止され、その内部に透過型表示器の電極基板用ガラス基板の光屈折率と近似した光屈折率を有する流体（液体又は気体）が封入される。このため、透視窓の前面から遊技機を見たときに、２枚の透視窓用ガラス板の間に配置された透過型表示器の電極基板用ガラス基板の輪郭線を遊技者に視認し難くすることができる。
【００２７】
手段１１に記載の遊技機において、２枚の透視窓用ガラス板の内部空間に封入される流体が液体である場合には、２枚の透視窓用ガラス板の内部空間には、その内部空間の容積より少ない容積の液体が封入されていることが好ましい（手段１２）。
【００２８】
（手段１２に記載の遊技機の作用と効果）  この遊技機では、２枚の透視窓用ガラス板の内部空間の全体に液体が封入されていないため、封入されている液体の温度が高温となってその容積が増大しても、それによって透視窓用ガラス板に大きな応力が発生することを抑制することができる。
【００２９】
手段１２に記載の遊技機において、２枚の透視窓用ガラス板の内部空間には、当該透視窓用ガラス板が透視窓に装着されたときに、その透視窓より外側で、かつ、上方にリザーブ空間が形成されており、透視窓に透視窓用ガラス板が装着されるとそのリザーブ空間の少なくとも一部は液体が満たされていない空間になることが好ましい（手段１３）。
【００３０】
（手段１３に記載の遊技機の作用と効果）  この遊技機では、透視窓に透視窓用ガラス板が装着されるとリザーブ空間が透視窓の上方となって、そのリザーブ空間が遊技者に視認されることを防止することができる。
【００３１】
手段１３に記載の遊技機において、２枚の透視窓用ガラス板の外周を封止する封止部には、前記リザーブ空間と外部とを連通する連通路が設けられ、その連通路は気体の通過を許容する一方で液体の通過を禁止する部材により閉じられていることが好ましい（手段１４）。
【００３２】
（手段１４に記載の遊技機の作用と効果）  この遊技機では、透視窓用ガラス板の間に封入されている液体の温度が上昇し、その容積が膨張すると、リザーブ空間内の空気が連通路を通って外部に排出される。したがって、液体の容積変化によってガラス板に発生する応力を小さくすることができる。また、連通路を閉じる部材は、気体の通過は許容するが液体の通過は禁止するため、遊技機の運搬中等に透視窓用ガラス板の間に封入した液体が外部に漏れるといった事態の発生を防止することができる。
【発明を実施するための最良の形態】
【００３３】
次に、本発明を具現化した一実施形態に係るパチンコ機について説明する。まず、本実施形態の目的と、その目的を達成するための主要な特徴を説明する。
（目的１）  遊技盤の前方に透過型表示器を配する場合、透過型表示器を配した分だけ視認性が悪化する。パチンコ機では、遊技盤を流下するパチンコ球の流下状態を視認できることが重要となる。また、遊技盤の中央に配されるセンター役物装置は遊技者の関心が高い。そこで、本実施形態の第１の目的は、透過型表示器を配することによる視認性の低下を防止し、また、パチンコ球の流下状態やセンター役物装置の動作を視認し易くする。
（目的２）  遊技店の新台入替えでは、パチンコ機本体に対して遊技盤のみを入れ替えることが行われる。新台入替えでは短時間で多数の遊技盤を入替える必要があるため、作業時間の短縮は重要な問題となる。ここで、機種によっては透過型表示器を用いるパチンコ機もあれば、透過型表示器を用いないパチンコ機もある。透過型表示器を用いる場合は遊技盤の交換に際し透過型表示器をセットし、透過型表示器を用いない場合は遊技盤の交換に際し透過型表示器を取り外さなければならない。そこで、本実施形態の第２の目的は、パチンコ機本体への透過型表示器の脱着作業を簡易・迅速に行うことを可能とする。
【００３４】
（特徴１）  本実施形態のパチンコ機では、前面開閉枠の透視窓に装着されるガラス板に透過型表示器が一体に形成されている。すなわち、本実施形態の透過型表示器は、発光層を両側から電極で挟み、その両電極の外側のうち一方を透視窓用のガラス板で、他方をガラス基板によって挟み込んで構成される。
このため、透視窓用のガラス板に別体の透過型表示器を固定する場合と比較して視認性を上げることができる。すなわち、透視窓用のガラス板に別体の透過型表示器を固定する場合、透過型表示器の両外側にガラス基板が配され、さらにその一方の外側に透視窓用のガラス板が配されることとなる。したがって、発光層の部分には合計３枚のガラス板が配されることとなり、その視認性が低下する。一方、本実施形態では、発光層を透視窓用のガラス板によって直接保護するため、発光層の部分には２枚のガラス板が配されるだけとなる。これによって、発光層部分の透過度が向上し、遊技領域の視認性が向上する。
（特徴２）  本実施形態の透過型表示器は、透視窓用のガラス板の一部の領域に表示領域が形成される（すなわち、透視窓用のガラス板の一部に発光層及びガラス基板が配される）。このため、透視窓用のガラスの全域を表示領域とする場合と比較して遊技領域の視認性が向上する。
（特徴３）  本実施形態では、透視窓用のガラス板に形成される表示領域は、遊技領域の中央に配される図柄表示装置と重畳しない。したがって、図柄表示装置に表示される図柄変動の視認性が低下することはなく、また、両者に同時に映像を表示しても両者の映像を視認することができる。
（特徴４）  本実施形態では、透視窓用のガラス板に形成した表示領域に電力等を供給する配線が透視窓用のガラス板の外周近傍に形成される。これによって、配線を設けることにより透過性が低下しても、流下するパチンコ球の視認性にはあまり影響がない。
（特徴５）  本実施形態では、透過型表示器と駆動ユニットが一体化（ユニット化）される。すなわち、駆動ユニットは透視窓用のガラス板の上辺側に固定される。これによって、透過型表示器と駆動ユニットとを一体の部品として扱うことができるので、組立作業や遊技店への設置後の交換の際の作業性を効率化することができる。また、駆動ユニットは透視窓の外側に配置されるようになるので、遊技者の目に触れることがない。
【００３５】
以下、本実施形態のパチンコ機について図面を参照して詳細に説明する。本実施形態のパチンコ機１は、本体と、本体に着脱可能に収容される遊技盤１３によって構成される。まず、本体の構成について説明する。図１はパチンコ機１の外枠に対し前面枠を開いた状態を示す図であり、図２は外枠に対し前面枠及び前面開閉枠を開いた状態を示す図であり、図３はパチンコ機１の正面図であり、図４は図３のIV−IV線断面図である。
図１、図２に示されているように、パチンコ機１の本体は、外枠２、前面枠１０および前面開閉枠３０を主体として構成されている。外枠２は方形枠状に形成されており、外枠２の下部には前面枠１０の下端を受け止める下受け板３が取付けられている。また、外枠２の表面片側には、前面枠ヒンジ機構１００によって、前面枠１０が外枠２に対して開閉可能に組み付けられている。
【００３６】
前面枠１０は方形額縁状に形成されており、前面枠１０の裏面には前面枠１０の開口部周縁に沿って支持枠体１１が設けられている。支持枠体１１には、遊技盤１３が着脱可能に取付けられる。遊技盤１３が前面枠１０に取付けられた状態では、遊技盤１３の表面のほとんどが前面枠１０の開口部から露出するようになっている。
【００３７】
前面枠１０の裏面には、裏セットヒンジ機構１２０によって裏セット部材１６が開閉可能に組み付けられている（図１参照）。裏セット部材１６は、その中央に開口部が設けられている。裏セット部材１６の裏側には、パチンコ球の貸出しや払出しを行う払出装置や電源基板６０が取付けられている。
【００３８】
前面枠１０の支持枠体１１には、裏セット部材１６を閉じた状態に保持するための複数の締め付け具１９が取付けられている。前面枠１０に遊技盤１３を固定する場合は、前面枠１０の支持枠体１１に遊技盤１３を組み込み、次に、裏セット部材１６を前面枠１０に対して閉じ、裏セット部材１６を締め付け具１９によって閉じた状態に保持する。逆に、前面枠１０から遊技盤１３を取り外す場合は、締め付け具１９を外して裏セット部材１６を開き、前面枠１０の支持枠体１１から遊技盤１３を取り外す。
なお、前面枠１０の支持枠体１１と遊技盤１３のサイズは規格化されており、異なる種類の遊技盤１３が支持枠体１１に取付け可能となっている。したがって、遊技店において新台入れ替えを行う場合は、遊技盤のみを新規な種類のものに入れ替えることができる。
【００３９】
また、図１に示されているように、前面枠１０の裏側には、上下に１つずつの前面枠施錠フック１７が上下方向にスライド可能に組み付けられている。前面枠施錠フック１７は、外枠２に対して前面枠１０が閉じられたときに、外枠２に設けられた係合部（図示していない）と係合し、前面枠１０を閉じた状態に施錠する。外枠２に対する前面枠１０の解錠は、図２に示されている前面枠１０の表側の鍵穴２２に鍵を挿入して回すと、前面枠施錠フック１７が解錠方向（下方）にスライドし、外枠２の係合部から外れることにより行われる。
【００４０】
図２、図３に示されているように、前面枠１０の表側下部には、パチンコ球を発射するための発射ハンドル２０、発射ハンドル２０によって操作される発射装置（図示省略）及び下皿２１等が取付けられている。発射ハンドル２０は、遊技者によって操作され、その操作量で発射されるパチンコ球の速度が決まるようになっている。下皿２１は、払い出し装置から払い出されたパチンコ球のうち上皿９３（図２，３に図示される）からオーバーフローするパチンコ球を受ける受皿である。
【００４１】
また、図２に示されるように、前面枠１０の表側には、前面開閉枠ヒンジ機構１４０によって開閉可能に前面開閉枠３０が組み付けられている。前面開閉枠３０は、前面開閉枠本体３１、補強部材３１ａ、ガラス枠３３等を備えている。
前面開閉枠本体３１は合成樹脂材料よりなり、図２、３に示されているように、中央部に遊技盤１３の遊技領域を透視可能な略円形の透視窓３２が形成されている。前面開閉枠本体３１の表面（すなわち、透視窓３２の外周側）には、図３に示すように装飾的なデザインが施されている。前面開閉枠本体３１の裏面には、図２に示すように補強部材３１ａが装着され、前面開閉枠本体３１の強度を向上させている。補強部材３１ａの裏面側にはガラス枠３３が設けられている。
ガラス枠３３は、透視窓３２を塞ぐ２枚の透明なガラス板３８ａ，３８ｂを保持するためのものである。ガラス枠３３には、ガラス板３８ａ，３８ｂを保持するための溝（図示省略）が形成される。ガラス板３８ａ，３８ｂのガラス枠３８への脱着は、前面開平枠３０を開放した状態でガラス枠３３に形成された溝にガラス枠３３の上辺側からガラス板３８ａ，３８ｂを挿入又は引き抜くことで行なわれる。
【００４２】
図２に示されているように、前面開閉枠本体３１の側縁には、上・中・下のそれぞれ３箇所に前面開閉枠施錠フック８０が上下方向にスライド可能に組み付けられている。前面開閉枠施錠フック８０は、前面枠１０に対して前面開閉枠３０が閉じられたときに、前面枠１０に形成された係合穴８１に係合し、前面枠１０に対して前面開閉枠３０を施錠する。前面枠１０に対する前面開閉枠３０の解錠は、前面枠１０の前面の鍵穴２２に鍵を挿入して、上述した外枠２に対する前面枠１０の解錠方向とは逆の方向に鍵を回すことにより、前面開閉枠施錠フック８０が解錠方向（下方）にスライドし、前面枠１０に対して前面開閉枠３０が解錠される。
【００４３】
前面開閉枠３０の下方には、下板９０が前面枠１０にヒンジ機構（図示していない）によって開閉可能に組み付けられている。下板９０の裏面には、前面枠１０に対して下板９０を閉じた状態に保持する係合金具９１が装着されている。係合金具９１には閉止爪９２が形成され、閉止爪９２は前面枠１０に形成された係合部（図示せず）に係合する。下板９０の前面には上皿９３が取付けられている。上皿９３の裏側の前面枠１０側にはスピーカ２６が設けられている（図３参照）。スピーカ２６は、遊技の進行に応じて効果音を出力する。
【００４４】
次に、前面枠１０に収容される遊技盤１３の構成について図５を参照して説明する。図５は遊技盤１３の正面図である。図５に示すように、方形板状の遊技盤１３の表面には上方に向かって円弧状に延びるレール４４が配設され、レール４４の内側にパチンコ球が流下する遊技領域１３ａが形成されている。遊技領域１３ａ内には、図柄表示装置１４、始動口２８、大入賞口３４、ゲート１８、普通入賞口１８、電飾装置２７等の遊技装置が適宜配置されている。
【００４５】
図柄表示装置１４は図柄表示器１５（本実施形態では液晶表示器）を備える。始動口２８にパチンコ球が入賞すると、図柄表示器１５に３つの特別図柄が変動表示される。変動表示される特別図柄は、変動停止時の図柄の組合せによって大当り遊技状態（大入賞口３４が開放される状態）に移行するか否かを遊技者に認識させる。
また、図柄表示器１５の左下部には、普通図柄を表示する普通図柄表示部１５ａが設けられている。普通図柄は、ゲート１８をパチンコ球が通過すると変動するようになっている。
【００４６】
始動口２８は２枚の可動翼片２８ａを有している。可動翼片２８ａは、通常時は垂直に配置され、普通図柄表示部１５ａに変動表示された普通図柄が所定の組合せ（例えば、７・７・７等）で停止すると外方に開く。可動翼片２８ａが外方に開くと、始動口２８にパチンコ球が入賞しやすくなる。始動口２８の内部には、パチンコ球の入賞を検知する始動口センサ５６が設けられている。また、普通入賞口１８の内部にも、パチンコ球の入賞を検知する普通入賞口センサ（図示省略）が設けられている。
【００４７】
大入賞口３４は開閉蓋３６を有し、開平蓋３６は遊技盤１３の裏側に装着されたソレノイド４０によって開閉駆動される。開閉蓋３６が開放されると大入賞口３４にパチンコ球が入賞可能な状態となる。開閉蓋３６が開放される期間は、大入賞口３４にパチンコ球が所定個数（一般的には１０個）入賞するか、開放してから３０秒間を経過するまでのいずれか早いほうで終了する。
【００４８】
図柄表示装置１４の左側方に配置されているゲート１８の内部には、ゲートセンサ５４が装着されている。ゲートセンサ５４は、ゲート１８を通過するパチンコ球を検知する。
また、図柄表示装置１４の側方で遊技領域１３ａの端部には、遊技の進行に応じて点灯する電飾装置２７が配されている。したがって、遊技領域１３ａ内に打ち込まれたパチンコ球は、図柄表示装置１４と電飾装置２７との間を流下することとなる。
【００４９】
なお、遊技領域１３ａの外側の領域（いわゆる、非遊技領域）の左側上方の位置には貫通孔１３ｂが形成され、一方、左側下方の位置には払出装置から払いだされたパチンコ球を上皿９３に導くための開口１３ｃが形成されている。
また、図４に示すように遊技盤１３の裏側にはパネルカバー６が取付けられており、パネルカバー６によって図柄表示器１５を制御する表示制御基板６４等が覆われている。パネルカバー６は一部が切り欠かれた形状をしており、ここにパチンコ機１を統括的に制御するメイン制御基板６３を収容する主制御基板ボックス２１２が取り付けられている。主制御基板ボックス２１２の下方にはサブ基板ボックス２１６が設けられている。サブ基板ボックス２１６内には、スピーカ２６からの音声や透過型表示器等を制御するサブ制御基板６３を収容している。
【００５０】
次に、ガラス板３８ｂに形成される透過型表示器について図６，７を参照して説明する。図６はガラス板３８ｂの正面図であり、図７はガラス枠３３（図示省略）にガラス板３８ａ，３８ｂが保持された状態を示す側面図である。図７に示すように、ガラス枠３３には方形状の２枚のガラス板３８ａ，３８ｂが装着され、ガラス板３８ａ，３８ｂのうち内側に配されるガラス板３８ｂに透過型表示器が一体に形成されている。
【００５１】
図６に示すように、ガラス板３８ｂには２つの表示領域４３ａ，４３ｂが形成される。表示領域４３ａ，４３ｂには、ＥＬ素子を用いた透明な発光層がそれぞれ設けられる。各発光層の両面には電極がそれぞれ設けられ、これら電極のうち一方の電極の外側にガラス板３８ｂが配され、他方の電極の外側にはガラス基板４６ａ（又は４６ｂ）が配される（図７参照）。ガラス板３８ｂとガラス基板４６ａ（又は４６ｂ）によって発光層が保護されるようになっている（以下、発光層、電極、ガラス板３８ｂ及びガラス基板４６ａ，４６ｂによって構成されるＥＬ表示器を透過型表示器３７で表す）。
ガラス基板４６ａ，４６ｂは、表示領域４３ａ，４３ｂに設けられた発光層と略同一面積とされる。すなわち、ガラス基板４６ａ，４６ｂはガラス板３８ｂより面積が小さくなる。したがって、ガラス板３８ｂは表示領域４３ａ，４３ｂが形成された一部の領域において２重ガラス構造となり、その透過度が他の部分より低下することとなる。
【００５２】
ガラス板３８ｂの上辺には、表示領域４３ａ，４３ｂに設けられた発光層の点灯・制御を行なう駆動ユニット４０が固定される。駆動ユニット４０は、発光層を発光させるための交流電源を生成する電圧系回路（インバータ回路等）を収容した電圧系回路収容部４１と、発光層の点灯制御を行なう制御系回路を収容した制御系回路収容部４２により構成される。電圧系回路収容部４１と制御系回路収容部４２は配線４７によって接続される。
なお、電圧系回路収容部４１には、ガラス板３８ｂの裏側に向かって突出するコネクタ４５が設けられている（図４，７参照）。
【００５３】
また、駆動ユニット４０と表示領域４３ａ，４３ｂとは配線３９によって電気的に接続されている。配線３９は、透明な導電性材料によってガラス板３８ｂの表面に形成される。図６から明らかなように配線３９は、表示領域４３ａ，４３ｂからガラス板３８ｂの側辺方向に伸び、ガラス板３８ｂの側辺近傍で略垂直に折れ曲がって側辺と略平行に上方に伸びている。
なお、ガラス板３８ｂ表面の配線３９が形成された部分には透明な保護層（例えば、透明な保護フィルム）が貼り付けられている。これによって、ガラス板３８ｂをガラス枠３３へ装着する際に配線３９が損傷することを防止される。なお、配線３９を保護する方法としては、ガラス板３８ｂ表面に保護フィルムを貼り付ける方法には限られず、例えば、透明なレジスト材によってガラス板３８ｂの表面に直接保護層を形成するようにしてもよい。
【００５４】
次に、ガラス板３８ｂをガラス枠３３に装着したときの透過型表示器３７と遊技盤１３との位置関係について図８を参照して説明する。図８は遊技盤１３に配された主要な遊技装置と透過型表示器３７との位置関係を示す図である。
図８に示すように、ガラス板３８ｂがガラス枠３３に装着された状態では、透過型表示器３７の表示領域４３ａ，４３ｂは、図柄表示装置１４の左右両側で、かつ、図柄表示装置１４の表示画面と重畳しない位置となる。このため、表示領域４３ａ，４３ｂに演出表示を行なっても、図柄表示装置１４に表示される演出表示の邪魔にはならない。したがって、図柄表示装置１４と表示領域４３ａ，４３ｂの両者を用いて遊技演出を行なうことが可能となっている。
【００５５】
また、表示領域４３ａはゲート１８と重畳する位置となる。したがって、ゲート１８をパチンコ球が通過したときに表示領域４３ａを点灯すること等によって、パチンコ球がゲート１８を通過したことを遊技者に印象付けることができる。
一方、ガラス板３８ｂの右側に設けられた表示領域４３ｂは電飾装置２７と重畳する位置となって、パチンコ球の通過経路にできるだけ重畳しない位置とされている。このため、遊技領域１３ａを流下するパチンコ球の視認が表示領域４３ｂによって阻害されることが抑制される。また、電飾装置２７の光が表示領域４３ｂで拡散されるため、表示領域４３ｂの存在を目立たなくすることができる。
【００５６】
また、配線３９は、ガラス板３８ｂの両側辺近傍に形成され、パチンコ球の通過経路と重ならない。このため、配線３９や配線３９を保護する保護層によってガラス板３８ｂの透過度が低下しても、遊技領域１３ａを流下するパチンコ球の視認が阻害されることはない。
【００５７】
さらに、ガラス板３８ｂの上辺側に固定された駆動ユニット４０は、遊技領域１３ａの外側で（図８参照）、かつ、前面開閉枠３０内のガラス板３８ａの上方の空間に収容される（図４参照）。したがって、駆動ユニット４０は前面開閉枠本体３１の表面装飾によって隠され、遊技者に視認されることはない。
【００５８】
また、図４に示すように、駆動ユニット４０に設けられたコネクタ４５は、駆動ユニット４０から遊技盤１３に向かって突出し、遊技盤１３にはコネクタ４５に対応した位置に貫通孔１３ｂ（図５参照）が形成されている。したがって、遊技盤１３の裏側に配された制御基板（本実施形態ではサブ制御基板６３）と駆動ユニット４０とを接続する作業を容易に行なうことができる。すなわち、図４に示すように、サブ制御基板６３に一端が接続されたハーネス２００は、貫通孔１３ｂを通って遊技盤１３の前面に引き出される。そして、引き出されたハーネスの他端をコネクタ４５に差し込む。この際、コネクタ４５は駆動ユニット４０から遊技盤１３側に突出しているため、コネクタ４５への差込を容易に行なうことができる。また、コネクタ４５は前面開閉枠３０のヒンジ着された側の辺の近傍に設けられているため、ハーネス２００を長くしなくても前面開閉枠３０を開放することができる。
【００５９】
次いで、パチンコ機１の制御系の構成について図９を参照して説明する。図９に示すように、本実施形態のパチンコ機１の制御系は、複数の制御基板（メイン制御基板６２，賞球制御基板６１，サブ制御基板６３，表示制御基板６４，発射制御基板６５）により構成される。
メイン制御基板６２は、パチンコ機１に装備された各遊技装置（払出し装置，図柄表示器１５，スピーカ２６，透過型表示器３７，発射装置等）の動作を統括する制御装置である。メイン制御基板６２には、始動口センサ５６、ゲートセンサ５４、ソレノイド５０等が接続されている。メイン制御基板６２は、始動口センサ４１やゲートセンサ５４から出力される検出信号に基づいてコマンドを作成し、賞球制御基板６１やサブ制御基板６３にコマンドを出力する。また、メイン制御基板６２は、図柄表示器１５に表示される特別図柄の変動が大当りとなると、ソレノイド５０を駆動して大入賞口３４を開放する処理を行う。
【００６０】
サブ制御基板６３は、メイン制御基板６２から出力されるコマンドに基づいてスピーカ２６及び透過型表示器４３ａ，４３ｂ等を制御する。サブ制御基板６３には、スピーカ２６、駆動ユニット４０及び表示制御基板６４が接続さている。サブ制御基板６３は、メイン制御基板６２から出力されたコマンドを受信すると、そのコマンドを解析してコマンドを作成し表示制御基板６４に出力すると共に、スピーカ２８や透過型表示器３７を点灯駆動する。したがって、透過型表示器３７はスピーカ２８及び図柄表示器１５（表示制御基板６４によって制御される）と連動して遊技演出を行う。
【００６１】
表示制御基板６４は、サブ制御基板６３から出力されるコマンドに基づいて図柄表示器１５を制御する。表示制御基板６４には図柄表示器１５が接続されている。表示制御基板６４は、サブ制御基板６３から出力されたコマンドを受信するとそのコマンドを解析し、コマンドに対応する画像を図柄表示器１５に表示する。
【００６２】
なお、賞球制御基板６１は、メイン制御基板６２から出力されたコマンドに基づいて払出装置を制御する。賞球制御基板６１には発射制御基板６５が接続されている。賞球制御基板６１は、払出装置に異常が生じていると、発射装置からのパチンコ球の発射を禁止するためのコマンドを発射制御基板６５に出力する。
【００６３】
なお、上述した各制御基板６１，６２，６３，６４，６５や各種電装装置（図柄表示器１５，スピーカ２８，透過型表示器３７，払出装置等）には電源基板６０から電力が供給される。電源基板６０は、外部電源ＡＣに接続され、外部電源から供給される電力を各制御基板，各電装装置の作動電圧に変換し、各制御基板，各電装装置に供給する。
【００６４】
最後に、透過型表示器３７に画像を表示する手順について簡単に説明する。透過型表示器３７に画像を表示するか否かはメイン制御基板６２が決定する。例えば、ゲートセンサ１８によってパチンコ球が検出されたときは、透過型表示器３７の表示領域４３ａを点灯するよう決定する。あるいは、始動口センサ５６でパチンコ球が検出されると、図柄表示器１５に図柄変動を表示すると共にその図柄変動に同期して透過型表示器３７の表示領域４３ａ，４３ｂに画像を表示するよう決定する。
透過型表示器３７に画像を表示する場合は、メイン制御基板６２は透過型表示器３７に表示する画像の内容を指示するコマンドをサブ制御基板６３に出力する。コマンドを受信したサブ制御基板６３は、そのコマンドにより指示された画像を透過型表示器３７に表示する。これによって、図柄表示器１５やゲート１８等と連動して透過型表示器３７に画像が表示される。
【００６５】
以上、説明したように、本実施形態のパチンコ機１では、透視窓３２に装着されたガラス板３８ｂを保護層に用いて透過型表示器３７を構成した（すなわち、ガラス板３８ｂ＋電極＋発光層＋電極＋ガラス基板）。したがって、ガラス板３８ｂに別体の透過型表示器を固定する場合（すなわち、ガラス板３８ｂ＋ガラス基板＋電極＋発光層＋電極＋ガラス基板）と比較して、透過度を上げることができる。これによって、遊技領域１３ａの視認性が向上し、遊技領域１３ａを流下するパチンコ球の動きを見やすくしている。
また、透過型表示器３７の表示領域４３ａ，４３ｂはガラス板３８ｂの一部に形成される。これによっても、遊技領域１３ａの視認性が悪化することを抑制することができる。
【００６６】
また、本実施形態のパチンコ機１では、ガラス板３８ｂの上辺に駆動ユニット４０を固定することで、透過型表示器３７と駆動ユニット４０をユニット化している。したがって、透過型表示器３７を利用する遊技盤から透過型表示器３７を利用しない遊技盤に入れ替える場合は、ガラス枠３３からガラス板３８ｂを取り外し、通常のガラス板をガラス枠３３に取付ける。逆に、透過型表示器３７を利用しない遊技盤から透過型表示器３７を利用する遊技盤に入れ替える場合は、通常のガラス板をガラス枠３３から取り外し、本実施形態のガラス板３８ｂ（すなわち、透過型表示器３７と駆動ユニット４０がユニット化されたもの）をガラス枠３３に取り付ける。したがって、透視窓用のガラス板に別体に製造された透過型表示器を脱着する構造と異なり、ガラス板に対する透過型表示器の位置調整等の作業がなくなるため、迅速に入れ替えを行うことができる。また、駆動ユニット４０が固定されている位置によってガラス板３８ｂの上下方向が明確に分かるため、ガラス枠３３への差込み方向を誤ることはなく、迅速にガラス板の交換を行うことができる。
なお、前面開閉枠３０側に透過型表示器３７と駆動ユニット４０が配されるため、前面開閉枠３０を開放するだけでメンテナンスを行うことができる。
また、駆動ユニット４０は遊技盤１３によって遊技盤１３の裏側に配された各種装置から隔てられる。このため、遊技盤１３の裏側で多く発生する静電気の影響を受けなくすることができる。
【００６７】
以上、本発明の一実施形態について詳細に説明したが、これは例示にすぎず、特許請求の範囲を限定するものではない。特許請求の範囲に記載の技術には、以上に例示した具体例を様々に変形、変更したものが含まれる。例えば、下記に記載の形態で好適に実施することができる。
【００６８】
（１）上述した実施形態では、ガラス板３８ｂに透過型表示器を一体に形成したが、図１０，１１に示すように、透視窓に装着されるガラス板１３８ａ，１３８ｂとは別体のガラス板１３７に透過型表示器を形成してもよい。このような構成を採用する場合、新台入れ替えの際は、ガラス板１３７を２枚のガラス板１３８ａ，１３８ｂ間に脱着するだけでよい。また、上述した実施形態では内側のガラス板３８ｂに透過型表示器を形成したが、外側のガラス板３８ａに透過型表示器を形成することもできる。
【００６９】
さらに、透視窓に装着される２枚のガラス板をユニット化し、そのユニット化された２枚のガラス板間に透過型表示器を配置するようにしてもよい。この場合は、２枚のガラス板ごと透過型表示器が透視窓に着脱され、透過型表示器の装着作業を容易に行うことができる。このような実施形態の一例を、図１２〜１５に基づいて説明する。図１２はガラス板ユニットの分解斜視図であり、図１３はガラス板ユニットの正面図であり、図１４はガラス板ユニットの平面図と図１３のＣ−Ｃ線断面図とを併せて示す図であり、図１５はガラス板ユニットの側面図と図１３のＢ−Ｂ線断面図とを併せて示す図である。
図１２〜１５に示すようにガラス板ユニットは、枠体１５２と、枠体１５２の前面に装着される外ガラス板１５０と、枠体１５２の裏面に装着される内ガラス板１７０とから構成される。外ガラス板１５０と内ガラス板１７０は同一形状に形成され、内ガラス板１７０の前面には透過型表示器（すなわち、ガラス基板＋電極＋ＥＬ発光層＋電極＋ガラス基板によって構成されるＥＬパネル）１６６が接着されている。透過型表示器１６６には、ＥＬ素子によって表示領域１６８が形成されている。
【００７０】
枠体１５２は、側面枠１５４と、側面枠１５４の内部に設けられた内枠１５６とを備える。側面枠１５４は、両ガラス板１５０，１５２に対応した形状に形成されており、その前面側には外ガラス板１５０が嵌め込まれ、その後面側には内ガラス板１７０が嵌め込まれる。また、側面枠１５４の後面側は、内ガラス板１７０の表面に透過型表示器１６６が接着され段差ができることに対応して、その下端１６４が切り欠かれている。
内枠１５６は、前面開閉枠に形成された透視窓に対応した形状を有する。内枠１５６の前面側は外ガラス板１５０の裏面に当接し、内枠１５６の後面側は内ガラス板１７０の前面に当接し、各当接部にはシールが施される。そして、内枠１５６と外ガラス板１５０及び内ガラス板１７０で囲まれた空間に、透過型表示器１６６のガラス基板と略同一の光屈折率を有する流体（例えば、シリコンオイル、サラダ油等）が封入される。これによって、透過型表示器１６６によって形成される内ガラス板１７０の段差が遊技者に視認され難くなる。なお、封入される流体としては上述の液体に限られず、気体等を用いることもできる。
【００７１】
また、内枠１５６には、その上端にリザーブ空間１６０が形成される。ガラス板ユニットが前面開閉枠に形成された透視窓に装着されると、リザーブ空間１６０は透視窓よりも外側で、かつ、上方に位置し、側面枠１５４に設けられた連通口１５８によって外部と連通している。連通口１５８は、気体の通過を許容する一方で液体の通過を禁止する部材（例えば、ゴアテックス製の蓋）によって閉じられている。
ガラス板ユニットが透視窓に装着されると、リザーブ空間１６０にはその一部にのみシリコンオイル等が封入された状態となり、残りの部分にはシリコンオイル等の流体は封入されない状態となる（すなわち、残部には空気が封入されている。）。したがって、温度上昇によってガラス板ユニットに封入されたシリコンオイル等の流体が膨張すると、リザーブ空間１６０内の空気が連通口１５８を通って外部に排気されるため、２枚のガラス板１５０，１７０及び枠体１５２（特に、シール部）に過大な応力が作用することはない。また、連通口１５８は液体の通過を禁止する部材で閉じられているため、ガラス板ユニットの運搬時等に封入された液体が漏れるといった事態を防止することができる。
なお、温度が低下して封入されている液体の容積が収縮した場合でも、液体と空気との境界が前面開閉枠に形成された透視窓よりも外側に位置するように、封入する液体の容積が調整されていることが好ましい（すなわち、リザーブ空間１６０内に境界が形成されることが好ましい）。このような構成によると、封入されている液体と空気との境界を遊技者に視認されることを防止でき、その外観を通常の遊技機と変わらないようにすることができる。
【００７２】
図１２〜１５に示す実施形態では、外ガラス板１５０と内ガラス板１７０の外周を封止し、その内部にガラスと略同一の光屈折率を有する流体を封入することで、透過型表示器の輪郭線を遊技者に認識されることを防止することができる。なお、上述したガラス板間に流体を封入し美観を向上する技術は、上述した実施形態（内ガラス板に透過型表示器を接着する形態）に限られず、図７に示すようにガラス板に直接透過型表示器を形成する場合にも適用することができ、また、図１１に示すように両ガラス板の中間に別体の透過型表示器を吊り下げる場合にも適用することができる。このような場合においても、透過型表示器の輪郭線を目立たなくすることができ、遊技機の美観を向上することができる。
また、透過型表示器の輪郭線を目立たなくする方法としては、上述した２枚のガラス板間の空間にシリコンオイル等を封入する方法に限られず、例えば、２枚のガラス板間にガラスと略同一（近似）の光屈折率を有する接着剤又は樹脂（例えば、ポリカーボネート（ＰＣ）等）を流し込み硬化させる方法を採用してもよい。この方法によると、透過型表示器の輪郭線を目立たなくすることができるだけでなく、さらに、ガラス板間に封入した接着剤等が硬化することによってガラスユニットの強度を向上することができる。
【００７３】
（３）上述した実施形態では、ＥＬ素子を利用したＥＬ表示器を用いたが、その他にも透過型の液晶ディスプレイやプラズマディスプレイ等を用いることができる。また、ＥＬ表示器には、単色しか表示できないもの（単層構造）を用いても良いし、フルカラー方式のＥＬ表示器（ＲＧＢの３層構造）を用いてもよい。
【００７４】
（４）上述した実施形態では、ガラス板３８ｂの上辺側に駆動ユニット４０を固定したが、駆動ユニット４０を固定する位置はガラス板の上辺側に限られず、例えば、ガラス板の下辺側に駆動ユニットを固定するようにしてもよい。
【００７５】
（５）上述した各実施形態は本発明をパチンコ機に適用した例であったが、本発明はこの他にも、例えば、アレンジホール機（一定数の鋼球を遊技盤上に射出して所定の当たり状態を成立させるもの）、雀球遊技機等の各種遊技機にも適用することができる。
【００７６】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数の目的を同時に達成するものであり、そのうちの一つの目的を達成すること自体で技術的有用性を持つものである。
【図面の簡単な説明】
【００７７】
【図１】本実施形態のパチンコ機の外枠に対し前面枠を開いた状態を示す図。
【図２】外枠に対し前面枠及び前面開閉枠を開いた状態を示す図
【図３】パチンコ機の正面図。
【図４】図３のIV−IV線断面図。
【図５】遊技盤の正面図。
【図６】透過型表示器の正面図。
【図７】透過型表示器の側面図
【図８】遊技盤に配された遊技装置と透過型表示器の位置関係を説明するための図。
【図９】パチンコ機の制御系の構成を示す図。
【図１０】他の透過型表示器の正面図。
【図１１】他の透過型表示器の側面図。
【図１２】他の実施形態に係るガラス板ユニットの分解斜視図。
【図１３】図１２に示すガラス板ユニットの正面図。
【図１４】ガラス板ユニットの平面図と図１３のＣ−Ｃ線断面図とを併せて示す図。
【図１５】ガラス板ユニットの側面図と図１３のＢ−Ｂ線断面図とを併せて示す図。
【符号の説明】
【００７８】
１・・・パチンコ機
２・・・外枠
１０・・前面枠
１３・・遊技盤
１３ａ・遊技領域
１４・・図柄表示装置
１８・・ゲート
２７・・電飾装置
２８・・始動口
３０・・前面開閉枠
３２・・開口窓
３３・・ガラス枠
３７・・透過型表示器
３８ａ・外ガラス板
３８ｂ・内ガラス板
３９・・配線
４０・・駆動ユニット
４４・・レール
５０・・ソレノイド
【図１】
2005058731.tif 000003
【図２】
2005058731.tif 000004
【図３】
2005058731.tif 000005
【図４】
2005058731.tif 000006
【図５】
2005058731.tif 000007
【図６】
2005058731.tif 000008
【図７】
2005058731.tif 000009
【図８】
2005058731.tif 000010
【図９】
2005058731.tif 000011
【図１０】
2005058731.tif 000012
【図１１】
2005058731.tif 000013
【図１２】
2005058731.tif 000014
【図１３】
2005058731.tif 000015
【図１４】
2005058731.tif 000016
【図１５】
2005058731.tif 000017